(57)【要約】【課題】波長分散を測定する際の測定時間を短縮する。【解決手段】予め設定された波長分散補償値の探索範囲内で所定の刻みで伝送装置間の波長分散補償値を変更させる粗補償値制御部７と、粗補償値制御部７により変更された各波長分散補償値で測定された伝送装置３，４間のＢＥＲ結果に基づき、探索範囲内におけるＢＥＲの測定可能範囲を特定する判定部８と、判定部８により特定されたＢＥＲの測定可能範囲内で、所定の刻みより細かい刻みで伝送装置３，４間の波長分散補償値を変更させる細補償値制御部９と、細補償値制御部９により変更された各波長分散補償値で測定された伝送装置３，４間のＢＥＲ結果に基づき、ＢＥＲが最小となる波長分散補償値に変更させる最適補償値制御部１０とを備えた。【選択図】図１
2011205185.tif 000002
【特許請求の範囲】
【請求項１】
伝送装置間の波長分散補償値を制御する監視制御装置において、
予め設定された波長分散補償値の探索範囲内で所定の刻みで前記伝送装置間の波長分散補償値を変更させる粗補償値制御部と、
前記粗補償値制御部により変更された各波長分散補償値で測定された伝送装置間のＢＥＲ（Ｂｉｔ  Ｅｒｒｏｒ  Ｒａｔｅ）結果に基づき、前記探索範囲内におけるＢＥＲの測定可能範囲を特定する判定部と、
前記判定部により特定されたＢＥＲの測定可能範囲内で、前記所定の刻みより細かい刻みで前記伝送装置間の波長分散補償値を変更させる細補償値制御部と、
前記細補償値制御部により変更された各波長分散補償値で測定された伝送装置間のＢＥＲ結果に基づき、ＢＥＲが最小となる波長分散補償値に変更させる最適補償値制御部と
を備えた監視制御装置。
【請求項２】
伝送装置間の波長分散補償値を制御する監視制御装置において、
予め設定された波長分散補償値の探索範囲内で所定の刻みで前記伝送装置間の波長分散補償値を変更させる粗補償値制御部と、
前記粗補償値制御部により変更された各波長分散補償値で測定された伝送装置間のＢＥＲ（Ｂｉｔ  Ｅｒｒｏｒ  Ｒａｔｅ）結果に基づき、前記探索範囲内におけるＢＥＲの測定可能範囲を特定する判定部と、
前記測定された伝送装置間のＢＥＲ結果に基づき、前記判定部により特定されたＢＥＲの測定可能範囲内でのＢＥＲの特性曲線を推定する特性曲線推定部と、
前記特性曲線推定部により推定された特性曲線に基づき、ＢＥＲが最小となる波長分散補償値に変更させる最適補償値制御部と
を備えた監視制御装置。
【発明の詳細な説明】
【技術分野】
【０００１】
この発明は、例えば、トランスポンダに自動的な可変分散補償機能を組み込むことによって分散補償可能なファイバを使用しないネットワーク構築を可能とする監視制御装置に関するものである。
【背景技術】
【０００２】
近年の４０Ｇｐｓ以上の陸上ＷＤＭ伝送や、１０Ｇｐｓ以上の海底ケーブルシステムなどの長距離ＷＤＭ伝送においては、信号品質に対する制限が厳しくなる傾向にある。一方、長距離伝送においては、光波長のズレに対する光信号の到達時間のズレがあり、波長分散が大きいほど光波形の劣化が大きくなる。また、この光波形の劣化は、波長や光ファイバの種類によって異なる特性を持つ。このような波長分散を補償するためには、波長分散補償値を測定する必要がある。
【０００３】
そこで、分散補償可能なファイバを使用せずにこの波長分散を補償する制御方式として、トランスポンダの波長分散補償値が不明な場合に、波長分散の補償範囲の上限、下限を設定し、その範囲で波長分散補償値を走査して、波長分散補償値を変更しながら受信側の信号品質をモニタすることを繰り返して一番良い波長分散補償値を選択する方式がある（例えば、特許文献１参照）。
【０００４】
また、ネットワークを構築する際に、リンク毎に測定器等を用いて正確な波長分散量を測定し、その結果を各装置に入力する。そして、パスが確立した後、測定値の誤差を考慮した不確定な範囲で波長分散補償値を操作する方式もある。
あるいは、トランスポンダ基板の送受信部に、波長分散値を測定する機能を設け、パス設定時、パス全体の波長分散を測定する方式もある。
【先行技術文献】
【特許文献】
【０００５】
【特許文献１】特開２００５−２８６３８２号公報
【発明の概要】
【発明が解決しようとする課題】
【０００６】
上記のように、特許文献１に開示される波長分散補償制御方式では、トランスポンダの波長分散補償値が不明である場合に、波長分散補償値の捜索範囲の上限と下限を決めてその範囲で波長分散補償値を走査している。しかしながら、この方式では、単純に走査すると範囲が広くなり最適な波長分散補償値を測定完了するのに多くの時間がかかってしまい、またコストも多くかかるといった課題がある。
【０００７】
また、受信信号品質（ＢＥＲ：Ｂｉｔ  Ｅｒｒｏｒ  Ｒａｔｅ）を測定する場合に波長分散補償値があまりにずれてしまっていると、測定開始からＢＥＲを測定不可と判断するまでに数十秒の時間がかかってしまう。また、ＢＥＲが測定可能な場合でも数秒かかることから、範囲内全ての走査を完了するにはＢＥＲ測定を繰り返す必要があるため、数十分の時間がかかってしまい、またコストも多くかかるといった課題がある。
【０００８】
この発明は、上記のような課題を解決するためになされたもので、波長分散補償値を測定する際の測定時間を短縮することができる監視制御装置を提供することを目的としている。
【課題を解決するための手段】
【０００９】
この発明に係る監視制御装置は、予め設定された波長分散補償値の探索範囲内で所定の刻みで伝送装置間の波長分散補償値を変更させる粗補償値制御部と、粗補償値制御部により変更された各波長分散補償値で測定された伝送装置間のＢＥＲ結果に基づき、探索範囲内におけるＢＥＲの測定可能範囲を特定する判定部と、判定部により特定されたＢＥＲの測定可能範囲内で、所定の刻みより細かい刻みで伝送装置間の波長分散補償値を変更させる細補償値制御部と、細補償値制御部により変更された各波長分散補償値で測定された伝送装置間のＢＥＲ結果に基づき、ＢＥＲが最小となる波長分散補償値に変更させる最適補償値制御部とを備えたものである。
【発明の効果】
【００１０】
この発明によれば、上記のように構成したので、予め設定された波長分散補償値の探索範囲内で所定の刻みで伝送装置間の波長分散補償値を変更させる粗補償値制御部と、粗補償値制御部により変更された各波長分散補償値で測定された伝送装置間のＢＥＲ結果に基づき、探索範囲内におけるＢＥＲの測定可能範囲を特定する判定部と、判定部により特定されたＢＥＲの測定可能範囲内で、所定の刻みより細かい刻みで伝送装置間の波長分散補償値を変更させる細補償値制御部と、細補償値制御部により変更された各波長分散補償値で測定された伝送装置間のＢＥＲ結果に基づき、ＢＥＲが最小となる波長分散補償値に変更させる最適補償値制御部とを備えたことで、分散補償可能なファイバを使用せずにＬＳＩで予等化制御を行うことができ、また、従来より安価な方法で、高速でより正確に波長分散補償値を求めることが可能となる。
【図面の簡単な説明】
【００１１】
【図１】この発明の実施の形態１に係る波長分散補償制御システムの構成を示す図である。
【図２】この発明の実施の形態１に係る波長分散補償制御システムによる動作を示すフローチャート図である。
【図３】この発明の実施の形態１に係る波長分散補償制御システムによる動作を説明する図である。
【図４】この発明の実施の形態１に係る波長分散補償制御システムによる粗いＢＥＲ測定動作を示すフローチャートである。
【図５】この発明の実施の形態２に係る波長分散補償制御システムの構成を示す図である。
【図６】この発明の実施の形態２に係る波長分散補償制御システムによる動作を説明する図である。
【発明を実施するための形態】
【００１２】
以下、この発明の実施の形態について図面を参照しながら詳細に説明する。
実施の形態１．
図１はこの発明の実施の形態１に係る波長分散補償制御システムの構成を示す図である。
波長分散補償制御システムは、図１に示すように、監視制御装置１、ＤＣＮ（Ｄａｔａ  Ｃｏｍｍｕｎｉｃａｔｉｏｎ  Ｎｅｔｗｏｒｋ）２、伝送装置３，４、中継伝送装置５から構成される。
なお以下では、伝送装置３から伝送装置４に向かって信号を伝送する際の波長分散補償値の制御について説明する。
【００１３】
監視制御装置１は、波長分散補償制御システム内の伝送装置３，４をＤＣＮ２を介して監視・制御するものである。この監視制御装置１は、初期値設定部６、粗補償値制御部７、判定部８、細補償値制御部９及び最適補償値制御部１０から構成される。
【００１４】
初期値設定部６は、伝送装置３の波長分散補償値の初期値（不確定範囲の中心値Ｃ）及びこの波長分散補償値の探索範囲（粗い探索範囲Ｗ）を設定するものである。この初期値設定部６は、対象とするパス上の各リンクに関する波長分散測定結果の合計値とパス上のノード数を元に、探索開始位置となる不確定範囲の中心値Ｃと粗い探索範囲Ｗを求める。
【００１５】
粗補償値制御部７は、初期値設定部６により設定された粗い探索範囲Ｗ内で、予め設定した粗い刻みで順次、伝送装置３の後述する波長分散補償器１２の波長分散補償値を変更させるものである。
【００１６】
判定部８は、粗補償値制御部７により変更された各波長分散補償値で、伝送装置４の後述する粗ＢＥＲ測定部１４により測定された伝送装置３，４間のＢＥＲ結果に基づき、粗い探索範囲Ｗ内におけるＢＥＲの測定可能範囲を特定するものである。
【００１７】
ここで判定部８は、粗ＢＥＲ測定部１４による不確定範囲の中心値Ｃを基準にした所定方向でのＢＥＲ測定において、１点以上のＢＥＲ測定可能点と１点のＢＥＲ測定不可能点を測定できたかを判定する。判定部８は、１点以上のＢＥＲ測定可能点と１点のＢＥＲ測定不可能点を測定できていないと判定した場合には、粗補償制御部７に、波長分散補償値を不確定範囲の中心値Ｃから所定方向に遠ざかるように変更するように指示する。一方、判定部８は、ＢＥＲ測定不可能点を測定できたと判定した場合には、この所定方向でのＢＥＲ測定可能限度値が特定できたと判定する。
次いで、判定部８は、反対方向についても同様にＢＥＲ測定限度値の特定を行い、両方向のＢＥＲ測定限度値からＢＥＲの測定可能範囲を特定する。
【００１８】
細補償値制御部９は、粗ＢＥＲ測定部１４により測定されたＢＥＲの測定可能範囲内で、予め設定された細かい刻みで順次、波長分散補償器１２の波長分散補償値を変更させるものである。
最適補償値制御部１０は、伝送装置４の後述する細ＢＥＲ測定部１５により測定されたＢＥＲに基づいて、ＢＥＲが最小値となる波長分散補償値に波長分散補償器１２の波長分散補償値を変更させるものである。
【００１９】
伝送装置３は、監視制御装置１による制御に従い、伝送装置４とデータの送受信を行うものである。この伝送装置３は、送受信部１１及び波長分散補償器（粗ＢＥＲ測定手段、細ＢＥＲ測定手段）１２から構成される。
【００２０】
送受信部１１は、伝送装置４と信号の送受信を行うものである。
波長分散補償器１２は、粗補償値制御部７、細補償値制御部９または最適補償値最適補償値制御部１０による波長分散補償値の設定変更の要求を示す分散補償値設定要求に従い、波長分散補償値を変更・設定するものである。
【００２１】
伝送装置４は、監視制御装置１による制御に従い、伝送装置３とデータの送受信を行うものである。この伝送装置４は、送受信部１３、粗ＢＥＲ測定部１４及び細ＢＥＲ測定部１５から構成される。
【００２２】
送受信部１３は、伝送装置３と信号の送受信を行うものである。
粗ＢＥＲ測定部１４は、監視制御装置１による制御に従い、波長分散補償器１２により設定された波長分散補償値で、送受信部１１、中継伝送装置５及び送受信部１３を介して受信した信号に対してＢＥＲ測定を行い、ＢＥＲの測定可能範囲を算出するものである。
【００２３】
細ＢＥＲ測定部１５は、監視制御装置１による制御に従い、波長分散補償器１２により設定された波長分散補償値で、送受信部１１、中継伝送装置５及び送受信部１３を介して受信した信号に対してＢＥＲ測定を行うものである。
【００２４】
次に、上記のように構成された波長分散補償制御システムの動作について説明する。
図２はこの発明の実施の形態１に係る波長分散補償制御システムの動作を示すフローチャートであり、図３はこの発明の実施の形態１に係る波長分散補償制御システムによる動作を説明する図である。
波長分散補償制御システムの動作では、図２に示すように、まず、初期値設定部６は、不確定範囲の中心値Ｃ及び粗い探索範囲Ｗを設定する（ステップＳＴ２１）。すなわち、初期値設定部６は、対象とするパス上の各リンクに関する波長分散測定結果の合計値とパス上のノード数を元に、不確定範囲の中心値Ｃと粗い探索範囲Ｗを求める。
【００２５】
次いで、波長分散補償器１２は、粗補償値制御部７による分散補償値設定要求に従い、初期値設定部６により特定された粗い探索範囲Ｗ内で、図３に示すように、予め設定した粗い刻みで波長分散補償値を変更する。次いで、粗ＢＥＲ測定部１４は、この波長分散補償器１２により設定された波長分散補償値で送受信部１１、中継伝送装置５及び送受信部１３を介して受信した信号のＢＥＲ測定を行う（ステップＳＴ２２）。この波長分散補償制御システムによる粗いＢＥＲ測定動作は後述する。
【００２６】
次いで、波長分散補償器１２は、細補償値制御部９による分散補償値設定要求に従い、粗ＢＥＲ測定部１４により特定されたＢＥＲの測定可能範囲内で、図３に示すように、予め設定した細かい刻みで波長分散補償値を変更する。次いで、細ＢＥＲ測定部１５は、この波長分散補償器１２により設定された波長分散補償値で送受信部１１、中継伝送装置５及び送受信部１３を介して受信した信号のＢＥＲ測定を行う（ステップＳＴ２３）。
【００２７】
次いで、最適補償値制御部１０は、図３に示すように、細ＢＥＲ測定部１５により測定されたＢＥＲが最小値となる波長分散補償値に波長分散補償器１２の波長分散補償値を変更させる（ステップＳＴ２４）。
【００２８】
次に、ステップＳＴ２２における粗いＢＥＲ測定動作について説明する。
図４はこの発明の実施の形態１における波長分散補償制御システムによる粗いＢＥＲ測定動作を示すフローチャートである。
波長分散補償制御システムのよる粗いＢＥＲ測定動作では、図４に示すように、まず、波長分散補償器１２は、粗補償値制御部７による分散補償値設定要求に従い、初期値設定部６により設定された不確定範囲の中心値Ｃを波長分散補償値に設定する（ステップＳＴ４１）。
【００２９】
次いで、粗ＢＥＲ測定部１４は、波長分散補償器１２により設定された波長分散補償値で、送受信部１１、中継伝送装置５及び送受信部１３を介して受信した信号のＢＥＲ測定を行う（ステップＳＴ４２）。
【００３０】
次いで、判定部８は、粗ＢＥＲ測定部１４により１点以上のＢＥＲ測定可能点と１点のＢＥＲ測定不可能点を測定できたかを判定する（ステップＳＴ４３）。
このステップＳＴ４３において、判定部８は、１点以上のＢＥＲ測定可能点と１点のＢＥＲ測定不可能点を測定できていないと判定した場合、次いで、波長分散補償器１２は、粗補償値制御部７による分散補償値設定要求に従い、中心値Ｃから徐々に一方向（Ｘ方向）に遠ざかるように予め設定された粗い幅で波長分散補償値を変更する（ステップＳＴ４４）。その後、シーケンスはステップＳＴ４２に戻る。
【００３１】
一方、ステップＳＴ４３において、判定部８は、１点以上のＢＥＲ測定可能点と１点のＢＥＲ測定不可能点を測定できたと判定した場合、不確定範囲の中心値Ｃを基準にしてＸ方向の測定可能限度値が特定できたと判断して、次いで、波長分散補償器１２は、粗補償値制御部７による分散補償値設定要求に従い、初期値設定部６により設定された不確定範囲の中心値Ｃを波長分散補償値に設定する（ステップＳＴ４５）。
次いで、粗ＢＥＲ測定部１４は、波長分散補償器１２により設定された波長分散補償値で、送受信部１１、中継伝送装置５及び送受信部１３を介して受信した信号のＢＥＲを測定する（ステップＳＴ４６）。
【００３２】
次いで、判定部８は、粗ＢＥＲ測定部１４により１点以上のＢＥＲ測定可能点と１点のＢＥＲ測定不可能点を測定できたかを判定する（ステップＳＴ４７）。
このステップＳＴ４７において、判定部８は、１点以上のＢＥＲ測定可能点と１点のＢＥＲ測定不可能点を測定できていないと判定した場合、次いで、波長分散補償器１２は、粗補償値制御部７による分散補償値設定要求に従い、中心値Ｃから徐々にもう一方向（Ｙ方向）に遠ざかるように予め設定された粗い幅で波長分散補償値を設定する（ステップＳＴ４８）。その後、シーケンスはステップＳＴ４６に戻る。
【００３３】
一方、ステップＳＴ４７において、判定部８は、１点以上のＢＥＲ測定可能点と１点のＢＥＲ測定不可能点を測定できたと判定した場合、不確定範囲の中心値Ｃを基準にしてＹ方向の測定可能限度値が特定できたと判定して、両方向のＢＥＲ測定可能限度値からＢＥＲの測定可能範囲を特定する（ステップＳＴ４９）。
【００３４】
以上のように、この実施の形態１によれば、一段階目の探索として、探索範囲を広く設定して粗い刻みで波長分散補償値を変更していくことで、ＢＥＲの測定可能範囲を特定して、二段階目の探索として、得られたＢＥＲの測定可能範囲内で細かい刻みで波長分散補償値を変更して、波長分散補償値を最適値に制御するように構成したので、分散補償可能なファイバを使用せずにＬＳＩで予等化制御を行うことができ、従来の波長分散補償制御システムより安価な方法で、高速でより正確に波長分散補償値を求めることが可能となる。
【００３５】
実施の形態２．
図５はこの発明の実施の形態２に係る波長分散補償制御システムの構成を示す図であり、図６はこの発明の実施の形態２に係る波長分散補償制御システムによる動作を説明する図である。
図５に示す実施の形態２に係る波長分散補償制御システムは、図１に示す実施の形態１に係る波長分散補償制御システムの細補償値制御部９及び細ＢＥＲ測定部１５を削除して、特性曲線推定部１６を追加したものである。その他の構成は同様であり、同一の符号を付してその説明を省略する。
【００３６】
特性曲線推定部１６は、図６に示すように、粗ＢＥＲ測定部１４により測定されたＢＥＲに基づいて、波長分散補償値−ＢＥＲ間の特性曲線を推定するものである。この特性曲線推定部１６は、粗い幅で測定したＢＥＲとそのときの波長分散補償値を元に、最小二乗法を用いた二次回帰曲線で特性曲線を求める。
なお、最適補償値制御部１０は、図６に示すように、特性曲線推定部１６により推定された特性曲線に基づいて、ＢＥＲが最小値となる波長分散補償値に波長分散補償器１２に波長分散補償値を変更させる。この際、最小値となるＢＥＲが複数点ある場合には、不確定範囲の中心値Ｃに最も近い値を最適な波長分散補償値とする。
【００３７】
以上のように、この実施の形態２によれば、一段階目の探索として、探索範囲を広く設定して粗い刻みで波長分散補償値を変更していくことで、ＢＥＲの測定可能範囲を特定し、二段階目の探索として、測定したＢＥＲに基づいて、得られたＢＥＲ測定可能範囲内での特性曲線を推定して、波長分散補償値を最適値に制御するように構成したので、実施の形態１に係る波長分散補償制御システムと比べて精度は若干下がるものの、波長分散補償値を決定する時間を短縮することができる。
【符号の説明】
【００３８】
１  監視制御装置、２  ＤＣＮ、３，４  伝送装置、５  中継伝送装置、６  初期値設定部、７  粗補償値制御部、８  判定部、９  細補償値制御部、１０  最適補償値制御部、１１  送受信部、１２  波長分散補償器、１３  送受信部、１４  粗ＢＥＲ測定部、１５  細ＢＥＲ測定部、１６  特性曲線推定部。
【図１】
2011205185.tif 000003
【図２】
2011205185.tif 000004
【図３】
2011205185.tif 000005
【図４】
2011205185.tif 000006
【図５】
2011205185.tif 000007
【図６】
2011205185.tif 000008